【手続補正書】
【提出日】平成19年5月15日(2007.5.15)
【手続補正１】
【補正対象書類名】明細書
【補正対象項目名】全文
【補正方法】変更
【補正の内容】
【書類名】        明細書
【発明の名称】  携帯型画像表示装置
【特許請求の範囲】
【請求項１】  データの通信手段を有する携帯型の装置において、
音声を聞き取るためのスピーカー部と、音声を拾うためのマイク部と、第２の画像表示素子とを有し、かつ、
第１の画像表示素子と、前記第１の画像表示素子に表示された観察像を観察するために射出瞳を形成する全体として正の屈折力を有する観察光学系とを有し、
前記観察光学系が少なくとも１つのプリズム部材にて構成され、
前記プリズム部材は前記画像表示素子から射出された光束をプリズム内に入射する入射面と、前記光束をプリズム内で反射する少なくとも１つの反射面と、前記光束をプリズム外に射出する射出面とを有し、前記少なくとも１つの反射面が光束にパワーを与える曲面形状を有し、前記曲面形状が偏心によって発生する収差を補正する回転非対称な面形状にて構成され、
前記第１の画像表示素子における画素ピッチをＰｍ、前記第２の画像表示素子における画素ピッチをＰｎとしたとき、下記条件を満足していることを特徴とする携帯型画像表示装置。
（１）  ０．０１＜Ｐｍ／Ｐｎ＜０．８
【請求項２】  データの通信手段を有する携帯型の装置において、
画像表示素子と、前記画像表示素子に表示された観察像を観察するために射出瞳を形成する全体として正の屈折力を有する観察光学系とを有し、
前記観察光学系がプリズム部と反射面を有する反射部とから構成され、
前記画像表示素子と前記プリズム部は本体に収納され、
前記反射部は本体とは別の枠部材に保持され、
前記枠部材は本体に収納可能な構成となっていることを特徴とする携帯型画像表示装置。
【請求項３】  データの通信手段を有する携帯型の装置において、
音声を聞き取るためのスピーカー部と、音声を拾うためのマイク部と、操作部と第２の画像表示素子とを有し、かつ、
第１の画像表示素子と、前記第１の画像表示素子に表示された観察像を観察するために射出瞳を形成する全体として正の屈折力を有する観察光学系と、
前記観察光学系が少なくとも１つのプリズム部材にて構成され、
前記プリズム部材は前記画像表示素子から射出された光束をプリズム内に入射する入射面と、前記光束をプリズム内で反射する少なくとも１つの反射面と、前記光束をプリズム外に射出する射出面とを有し、前記少なくとも１つの反射面が光束にパワーを与える曲面形状を有し、前記曲面形状が偏心によって発生する収差を補正する回転非対称な面形状にて構成され、
前記スピーカー部は、前記操作部を挟んで前記携帯型の装置本体の一端側に配置され、  前記第１の画像表示素子と前記観察光学系は、前記操作部を挟んで前記携帯型の装置本体の他端側に配置されていることを特徴とする携帯型画像表示装置。
【請求項４】  前記第１の画像表示素子と前記観察光学系は観察部を構成し、
該観察部は接続部を介して、前記携帯型の装置本体と機械的に接続されていることを特徴とする請求項３記載の携帯型画像表示装置。
【請求項５】  前記接続部は、前記携帯型の装置本体の前記他端側に位置し、
前記観察部は、前記接続部を介して前記携帯型の装置本体に対して回転可能に構成されていることを特徴とする請求項４記載の携帯型画像表示装置。
【請求項６】  前記第１の画像表示素子における画素ピッチをＰｍ、前記第２の画像表示素子における画素ピッチをＰｎとしたとき、下記条件を満足していることを特徴とする請求項３から５の何れか１項記載の携帯型画像表示装置。
（１）  ０．０１＜Ｐｍ／Ｐｎ＜０．８
【請求項７】  前記第１の画像表示素子を照明する第１照明光源と前記第２の画像表示素子を照明する第２照明光源を備え、
前記第１の画像表示素子と前記第２の画像表示素子の何れか一方で照明が行なわれている場合、他方では照明が行なわれていないことを特徴とする請求項３から６の何れか１項記載の携帯型画像表示装置。
【発明の詳細な説明】
【０００１】
【発明の属する技術分野】
本発明は、携帯型画像表示装置に関し、特に、携帯電話や携帯情報端末に付加することができる携帯型画像表示装置に関するものである。
【０００２】
【従来の技術】
近年、個人が大画面の画像を楽しむこと等を目的として、画像表示装置、特に、頭部や顔面に装着する画像表示装置の開発が盛んになされている。また、近年、携帯電話の普及や携帯情報端末の普及に伴い、携帯電話や携帯情報端末の画像や文字データを大画面で見るニーズが高まっている。
【０００３】
従来、頭部装着式画像表示装置として、ＣＲＴのような画像表示素子の像を画像伝達素子で物体面に伝達し、この物体面の像をトーリック反射面によって空中に投影するようにしたものが知られている（米国特許第４，０２６，６４１号）。また、液晶表示装置（ＬＣＤ）等の画像表示装置上の画像を屈折型のリレー光学系により一度空中に結像し、さらに偏心配置の凹面鏡からなる接眼光学系により観察者の眼球に導くものが知られている（特開平６−２９４９４３号）。
【０００４】
しかし、これらは何れも光学系が大きいため、携帯電話や携帯情報端末に用いるには不適当である。
【０００５】
【発明が解決しようとする課題】
本発明は従来技術のこのような問題点に鑑みてなされたものであり、その目的は、携帯電話や携帯情報端末に搭載できるように画像表示装置の観察部を小型に構成することである。
【０００６】
【課題を解決するための手段】
上記目的を達成する本発明の第１の構成の携帯型画像表示装置は、データの通信手段を有する携帯型の装置において、音声を聞き取るためのスピーカー部と、音声を拾うためのマイク部とを有し、かつ、画像表示素子と、前記画像表示素子に表示された観察像を観察するために射出瞳を形成する全体として正の屈折力を有する観察光学系とを有し、前記観察光学系が少なくとも１つのプリズム部材にて構成され、前記プリズム部材は前記画像表示素子から射出された光束をプリズム内に入射する入射面と、前記光束をプリズム内で反射する少なくとも１つの反射面と、前記光束をプリズム外に射出する射出面とを有し、前記少なくとも１つの反射面が光束にパワーを与える曲面形状を有し、前記曲面形状が偏心によって発生する収差を補正する回転非対称な面形状にて構成されていることを特徴としている。
【０００７】
この構成の作用を説明すると、特に、小型化の要求が強い携帯型の画像表示装置においては、射出瞳を形成する正の屈折力の光学系がレンズ作用を有する１つのプリズム部材で構成されていることが望ましい。１つのプリズム部材で構成することで小型の光学系を達成することが可能である。また、良好な収差性能を得るには、そのプリズム部材は画像表示素子から射出された光束をプリズム内に入射する入射面と、光束をプリズム内で反射する少なくとも１つの反射面と、光束をプリズム外に射出する射出面とを有し、その少なくとも１つの反射面が光束にパワーを与える曲面形状を有し、その曲面形状を偏心によって発生する収差を補正する回転非対称な面形状にて構成することが望ましい。
【０００８】
また、本発明の第２の構成の携帯型画像表示装置は、データの通信手段を有する携帯型の装置において、画像表示素子と、前記画像表示素子に表示された観察像を観察するために射出瞳を形成する全体として正の屈折力を有する観察光学系とを有し、前記観察光学系がプリズム部と反射面を有する反射部とから構成され、前記画像表示素子と前記プリズム部は本体に収納され、前記反射部は本体とは別の枠部材に保持され、前記枠部材は本体に収納可能な構成となっていることを特徴としている。
この構成の作用を説明すると、携帯型の画像表示装置において、小型の光学系を達成するには、本体に収納可能な枠部材に保持された反射部を用いることが有効である。前述のごとく、１つのプリズム部材で構成することでも小型化を達成できるが、反射面を有する反射部材が本体に収納可能な構成とすることで、小型の携帯型の画像表示装置を達成することが可能となる。
【０００９】
また、本発明の第３の構成の携帯型画像表示装置は、データの通信手段を有する携帯型の装置において、音声を聞き取るためのスピーカー部と、音声を拾うためのマイク部とを有し、かつ、画像表示素子と、前記画像表示素子に表示された観察像を観察するために射出瞳を形成する全体として正の屈折力を有する観察光学系と、撮像素子と、前記撮像素子に像を結像させるための撮像光学系とを有し、前記観察光学系が少なくとも１つのプリズム部材にて構成されていることを特徴としている。
【００１０】
この構成の作用を説明すると、携帯型の画像表示装置において、撮像素子と、その撮像素子に像を結像させるための撮像光学系を有したものも考えられる。この場合において、装置全体の小型化を達成するには、観察光学系は少なくとも１つのプリズム部材にて構成することが望ましい。
【００１１】
また、本発明の第４の構成の携帯型画像表示装置は、データの通信手段を有する携帯型の装置において、画素ピッチがＰｍの第１の画像表示素子と、画素ピッチがＰｎの第２の画像表示素子と、前記第１の画像表示素子に表示された観察像を観察するために射出瞳を形成する全体として正の屈折力を有する観察光学系とを有し、以下の条件（１）を満足することを特徴としている。
【００１２】
（１）  ０．０１＜Ｐｍ／Ｐｎ＜０．８
この構成の作用を説明すると、携帯型画像表示装置においては、表示素子の文字や画像のデータを直接観察する場合と、拡大観察する場合がある。特に、拡大観察する場合は、全体として正の屈折力を有する観察光学系を通して見るため、精細な画像を見るには、画素ピッチの細かい画像表示装置を用いることが望ましい。一方で、拡大光学系を介さずに直接観察する場合は、画素ピッチが多少粗くても問題はない。また、画素ピッチの細かい画像表示装置は、通常、コスト的にも不利であり、直接観察する方は粗い画素ピッチを用いることが望ましい。そこで、本発明では、直接観察用の表示素子と拡大観察用の表示素子を用い、条件（１）を満足するようにしている。
【００１３】
また、携帯性を良くするには、拡大観察光学系を小型に構成する必要がある。これには拡大観察光学系に用いる表示素子を小型に構成することが望ましい。一方で、直接観察する場合、表示面積が大きい方が、より使い勝手が良くなる。そこで、本発明では以下の条件（２）を満足するようにした。
【００１４】
（２）  ０．０１＜Ｓｍ／Ｓｎ＜０．５
ただし、Ｓｍは拡大観察に用いる画像表示素子の表示面積、Ｓｎは直接観察に用いる画像表示素子の表示面積である。
【００１５】
また、本発明の携帯型画像表示装置において、拡大画像の精細観察と小型化及び低コスト化を達成するためには、条件（１）、（２）を満足することが望ましい。
【００１６】
また、本発明の第５の構成の携帯型画像表示装置は、データの通信手段を有する携帯型の装置において、データの記憶手段と、データーの受信終了を知らせる手段と、画像表示素子と、前記画像表示素子に表示された観察像を観察するために射出瞳を形成する全体として正の屈折力を有する観察光学系とを有することを特徴としている。
【００１７】
この構成の作用を説明すると、観察光学系にて像を拡大して見る場合、観察対象となるデータの受信中は、観察光学系を覗き込まないことが多い。特に、拡大して見る場合、長時間の観察では目が疲労する。そこで、データ受信の終了を認識できる手段を設けることが望ましい。例えばライトの点灯や音によって、受信終了を知らせることが可能である。
【００１８】
また、本発明においては、条件（１）を満足することが望ましいが、さらに条件（１−２）を満足することが望ましい。
【００１９】
（１−２）  ０．０３＜Ｐｍ／Ｐｎ＜０．５
また、本発明においては条件（２）を満足することが望ましいが、さらに条件（２−２）を満足することが望ましい。
【００２０】
（２−２）  ０．０４＜Ｓｍ／Ｓｎ＜０．３
また、本発明の各構成において、観察光学系に用いるプリズム部材は、収差補正上、光束をプリズム内で反射する少なくとも２つの面を有することが望ましい。さらには、この少なくとも２つの反射面を回転非対称な面形状にて構成することが望ましい。
【００２１】
また、本発明の各構成においては、拡大観察に用いるデータの記憶手段を具備することが望ましい。
【００２２】
例えば、通信機能を用いて送られた画像を、画像表示素子に表示し、これを観察光学系にて拡大観察するが、後からデータを取り出したり、別な装置にデータを送信するため、所望のデータについては記憶する手段を設けることが望ましい。
【００２３】
また、本発明の各構成においては、画像表示素子を照明するための光源と画像表示素子を照明するための照明光学系とを具備することが望ましい。
【００２４】
また、本発明の各構成において、画像表示素子を複数用いる場合、使用しない画像表示素子の照明が切れるような構成とすることが省電力化の点で望ましい。
【００２５】
また、本発明の各構成においては、画像を観察する際に、本体を右手で保持しているか左手で保持しているかに基づいて、画像表示素子上の画像を回転させるようにすることが望ましい。
【００２６】
また、本発明の各構成においては、音声を拾うためのマイク部を有し、そのマイク部が携帯電話等の携帯型の装置本体から突出する構成であることが望ましい。
【００２７】
また、本発明の各構成においては、音声を聞くためのスピーカー部を有し、そのスピーカ部が携帯電話等の携帯型の装置本体から突出する構成であることが望ましい。
【００２８】
また、本発明の各構成においては、本体が、上側より、スピーカー部と操作部と拡大観察光学系の順に配置されていることが望ましい。
【００２９】
また、本発明の各構成においては、画像表示素子として液晶ディスプレー（ＬＣＤ）やプルズマディスプレーを用いることが可能である。
【００３０】
【発明の実施の形態】
以下、本発明の携帯型画像表示装置のいくつかの実施例について説明する。
【００３１】
〔実施例１〕
実施例１は、図１の斜視図に示す構成をしている。図１中、１は携帯型画像表示装置本体、２は観察部、３はスピーカー部、４はマイク部、５はアンテナ部、６は直接観察のための液晶表示部、７はプッシュ式の操作部、８はスティック式の操作部、２１はデータの受信終了を知らせるシグナル点灯部である。また、データの受信終了は音によって知らせることも可能である。
【００３２】
また、図２に示すように、観察部２は、ＬＣＤ等の画像表示素子９と画像表示素子に表示された観察像を観察するためのプリズム部材１０を含む。また、観察部２と本体１は、本体１下方部の部位２０で機械的に接続され、図２の点線１１で示されるように、観察部２は本体１に折り畳んで収納可能となっており、コンパクトな携帯型画像表示装置を実現している。
【００３３】
また、本体１に収納可能な構成は、コンパクトさを実現するだけでなく、観察部２未使用時に、プリズム部材１０の破損防止の効果も有する。これは、収納時に射出面１４（図３）が本体１側に近接して隠れるためである。
【００３４】
また、観察光学系にプリズム部材１０を用いているが、図３に示すように、プリズム部材１０は画像表示素子９から射出された光束をプリズム内に入射する入射面１２と、前記光束をプリズム内で反射する少なくとも１つの反射面１３と、前記光束をプリズム外に射出する射出面１４とを有し、反射面１３が、光束にパワーを与える曲面形状を有し、その曲面形状が偏心によって発生する収差を補正する回転非対称な面形状にて構成されていることで、諸収差を良好に補正したコンパクト化を実現している。画像表示素子９から射出された光束は、入射面１２を通過後、射出面１４が兼用する面１４で全反射され、反射コートが施された反射面１３にて反射し、射出面１４を透過して略無限遠光束となる。
【００３５】
また、本実施例では、拡大観察用の表示素子９と直接観察用の表示素子６を有するが、以下の表１の仕様となっている。
【００３６】
表１
┌─────┬────────┬──────────┐
│          │画素ピッチＰμｍ│サイズ（Ｈ×Ｖ）ｍｍ│
├─────┼────────┼──────────┤
│表示素子９│  ０．０１２    │  ９．６×７．２    │
│表示素子６│  ０．２５      │  ３０  ×４０      │
└─────┴────────┴──────────┘
【００３７】
また、本発明の携帯型画像表示装置において、拡大観察用の表示素子９は上記表１に示した例の他に、画素ピッチ０．０３８μｍあるいは０．００５μｍのものを用いることが可能である。
【００３８】
また、本発明の携帯型画像表示装置において、直接観察用の表示素子６は上記表１に示した例の他に、画素ピッチ０．１２μｍあるいは０．０５８μｍのものを用いることが可能である。
【００３９】
また、本発明の携帯型画像表示装置において、拡大観察用の表示素子９は上記表１に示した例の他に、サイズ４．５×５ｍｍあるいは１３×１４ｍｍのものを用いることがが可能である。
【００４０】
また、本発明の携帯型画像表示装置において、直接観察用の表示素子６は上記表１に示した例の他に、サイズ３０×２０ｍｍあるいは３０×６０ｍｍのものを用いることが可能である。
【００４１】
また、本発明の携帯型画像表示装置は、画像データの記憶装置を有し、記憶した画像データを観察部にて見ることが可能である。また、記憶した画像データは、通信機能を用いて送受信が可能である。
【００４２】
また、特に大きくなりがちな観察部２を小型化するため、記憶装置は本体１に内蔵していることが望ましい。
【００４３】
また、図４に示すように、画像データを観察する際は、観察部２に目を近づける必要があるため、プッシュ式の操作部７による操作は困難である。そこで、スティック式の操作部８を用いることが望ましい。携帯型画像表示装置の側面に施された操作部８を用いれば、観察光学系にて画像を見ながら、操作を行うことが可能となる。
【００４４】
また、図４は携帯型画像表示装置を左手に保持した状態を示しているが、右手に保持した場合でも、スティック式の操作部で操作が行えるように、反対側にも操作部（図示なし）を付加していることが望ましい。また、操作部が取り外し可能で、左右何れの位置でも付加できる構成とすることも可能である。
【００４５】
また、本発明の観察部２内の液晶表示装置９において、透過型液晶を用いている場合は、照明手段としてバックライトを用いる。透過型液晶を用いる場合は、照明光学系を用いる必要があり、くさび型のプリズムやパワーを持ったプリズム、あるいは回折素子を用いて照明することが望ましい。図５は、くさび型プリズムを用いて照明した例であり、図５中、３０はくさび型のプリズム、３１は光源であり、光源３１から発せられた光束がビーム成形素子３３にて成形され、くさび型のプリズム３０の斜面３２にて反射され、液晶表示部９へ照明される構成である。また、ビーム成形素子３３は、屈折系のレンズや回折光学素子で構成される。
【００４６】
〔実施例２〕
実施例２は、図６の斜視図に示す構成をしている。図６中、１は携帯型画像表示装置本体、２ａは観察部本体、２ｂは観察部反射面、３はスピーカー部、４はマイク部、５はアンテナ部、６は液晶表示部、７はプッシュ式の操作部、８はスティック式の操作部、２１はデータの受信終了を知らせるシグナル点灯部である。また、図７に示すように、観察部本体２ａは、ＬＣＤ等の画像表示素子とその画像表示素子に表示された観察像を観察するためのプリズム部材を含み、観察部反射面２ｂは１つの反射部材から構成されている。また、図７の点線１１で示されるように、観察部反射面２ｂは本体１に折り畳んで収納可能であり、コンパクトな携帯型画像表示装置を実現している。
【００４７】
また、本体１に収納可能な構成は、コンパクトさを実現するだけでなく、観察部２ａ、２ｂ未使用時に反射面の破損やよごれ防止の効果も有する。これは、収納時に反射面２ｂが本体１側に近接して隠れるためである。
【００４８】
また、本実施例では、拡大観察用の表示素子と直接観察用の表示素子６を有するが、実施例１と同様、表１の仕様となっている。
また、観察部の例として、図８に示すように、画像表示素子９から射出された光束をプリズム内に入射する入射面１２と、その光束をプリズム内で反射する反射面１３、１４、１５と、その光束をプリズム外に射出する射出面１６とを有するプリズム部材１０であって、反射面１４は光束にパワーを与える曲面形状を有し、その曲面形状が偏心によって発生する収差を補正する回転非対称な面形状にて構成することで、諸収差を良好に補正したコンパクト化を実現している。また、射出面１６を射出後、観察部反射面２ｂの反射面１７にて反射され、射出瞳Ｅを形成する。また、射出面１６と反射面１７の中間で一次結像することで、特に、プリズム部材１０をコンパクトにすることが可能となっている。
【００４９】
また、反射面１７は光束にパワーを与える曲面形状を有し、その曲面形状が偏心によって発生する収差を補正する回転非対称な面形状にて構成することで、諸収差を良好に補正したコンパクト化を実現している。
【００５０】
また、本発明の携帯型画像表示装置は画像データの記憶装置を有し、記憶した画像データを観察部にて見ることが可能である。また、記憶した画像データは、通信機能を用いて送受信が可能である。
【００５１】
また、特に、大きくなりがちな観察部を小型化するため、記憶装置は本体１に内蔵していることが望ましい。
【００５２】
また、実施例１同様に、画像データを観察する際は、観察部に目を近づける必要があるため、プッシュ式の操作部７による操作は困難である。そこで、スティック式の操作部８を用いることが望ましい。携帯型画像表示装置の側面に施された操作部８を用いれば、観察光学系にて画像を見ながら操作を行うことが可能である。
【００５３】
また、実施例１同様、左右何れの手に保持した場合でもスティック式の操作部で操作が行えるように、反対側にも操作部が付加していることが望ましい。また、操作部が取り外し可能で、左右何れの位置でも付加できる構成とすることも可能である。
【００５４】
また、本実施例の構成において、観察部の液晶照明方法は、実施例１で示した構成が適用可能である。
【００５５】
〔実施例３〕
実施例３は、図９の斜視図に示す構成をしている。これは、実施例１で示した携帯型画像表示装置に、撮像光学系４１が付加したものである。撮像光学系４１は、全体で正の屈折力を有する撮像レンズとＣＣＤ等の撮像素子を含み、所望の画像を撮影することが可能となっている。撮影した画像は、液晶表示部６により観察可能である。また、観察部２により観察することも可能である。また、データの通信手段を用いて、撮影した画像データを他の受信機へ送信することも可能である。
【００５６】
また、図１０は、実施例３の別な形態を表しており、実施例２で示した携帯型画像表示装置に、撮像光学系４１が付加したものである。
【００５７】
また、本実施例での撮像光学系４１の配置は、何れも装置上部としているが、装置の何れの位置にも配置することが可能である。また、撮像光学系４１を装置本体から取り外す構成とすることも可能である。
【００５８】
〔実施例４〕
実施例４は、図１１の斜視図に示す構成をしている。これは、実施例１で示した携帯型画像表示装置に、本体１から突出する構成のスピーカ部４２を設けたものである。本発明の携帯型画像表示装置で小型化を図ると、観察部２とスピーカ部の間隔が短くなり、目を観察部２に近づけた状態では、スピーカと耳の距離が離れ過ぎ、音声を十分に聞き取ることが困難となる。そこで、図１１に示したように、スピーカ部４２が本体１から突出可能な構成とすることで、このような問題を解決している。
【００５９】
また、実施例２で示した携帯型画像表示装置に本実施例の構成をとることも可能である。
【００６０】
〔実施例５〕
実施例５は、図１２の斜視図に示す構成をしている。これは、実施例１で示した携帯型画像表示装置に、本体１から突出する構成のマイク部４３を設けたものである。本発明の携帯型画像表示装置で小型化を図ると、観察部２とマイク部の間隔が短くなり、目を観察部２に近づけた状態では、マイクと口の距離が離れ過ぎ、音声を十分に伝えることが困難となる。そこで、図１２に示したように、マイク部４３が本体から突出可能な構成とすることで、このような問題を解決している。
【００６１】
また、実施例２で示した携帯型画像表示装置に本実施例の構成をとることも可能である。
【００６２】
〔実施例６〕
実施例６は、観察光学系にプリズム部材１０に関するものであり、図１３〜図２０に示すような構成のもので、実施例１で示した観察光学系の別な形態の例である。これらの図中、１０はプリズム部材であり、９は液晶表示装置等の画像表示装置、Ｅは射出瞳位置である。本発明の観察光学系としてこれらのプリズム部材１０を用いることも可能である。以下、簡単に説明する。
【００６３】
図１３の場合は、プリズム部材１０は第１面１２、第２面１３、第３面１４からなり、画像表示素子９から射出された光束は、第１面１２で屈折してプリズム部材１０に入射し、第２面１３で内部反射し、第３面１４に入射して屈折され射出瞳Ｅを通って略無限遠光束となる。
【００６４】
図１４の場合は、プリズム部材１０は第１面１２、第２面１３、第３面１４、第４面１５からなり、画像表示素子９から射出された光束は、第１面１２で屈折してプリズム部材１０に入射し、第２面１３で内部反射し、第３面１４で内部反射し、第４面１５に入射して屈折され射出瞳Ｅを通って略無限遠光束となる。
【００６５】
図１５の場合は、プリズム部材１０は第１面１２、第２面１３、第３面１４からなり、画像表示素子９から射出された光束は、第１面１２で屈折してプリズム部材１０に入射し、第２面１３で全反射し、第３面１４で内部反射し、再び第１面１２に入射して今度は全反射し、再び第２面１３に入射して今度は屈折されて射出瞳Ｅを通って略無限遠光束となる。
【００６６】
図１６の場合は、プリズム部材１０は第１面１２、第２面１３、第３面１４、第４面１５からなり、画像表示素子９から射出された光束は、第１面１２で屈折してプリズム部材１０に入射し、第２面１３で内部反射し、再び第１面１２に入射して全反射し、第３面１４に入射して内部反射し、第４面１５に入射して屈折されて射出瞳Ｅを通って略無限遠光束となる。
【００６７】
図１７の場合は、プリズム部材１０は第１面１２、第２面１３、第３面１４、第４面１５からなり、画像表示素子９から射出された光束は、第１面１２で屈折してプリズム部材１０に入射し、第２面１３で内部反射し、第３面１４で内部反射し、再び第２面１３に入射して内部反射し、第４面１５に入射して屈折されて射出瞳Ｅを通って略無限遠光束となる。
【００６８】
図１８の場合は、プリズム部材１０は第１面１２、第２面１３、第３面１４、第４面１５からなり、画像表示素子９から射出された光束は、第１面１２で屈折してプリズム部材１０に入射し、第２面１３で内部反射し、再び第１面１２に入射して全反射し、第３面１４に入射して内部反射し、再度第１面１２に入射して全反射し、第４面１５に入射して屈折されて射出瞳Ｅを通って略無限遠光束となる。
【００６９】
図１９の場合は、プリズム部材１０は第１面１２、第２面１３、第３面１４からなり、画像表示素子９から射出された光束は、第１面１２で屈折してプリズム部材１０に入射し、第２面１３で内部反射し、再び第１面１２に入射して全反射し、再び第２面１３で全反射し、第３面１４に入射して内部反射し、再度第２面１３に入射して屈折されて射出瞳Ｅを通って略無限遠光束となる。
【００７０】
図２０の場合は、プリズム部材１０は第１面１２、第２面１３、第３面１４からなり、画像表示素子９から射出された光束は、第１面１２で屈折してプリズム部材１０に入射し、第２面１３で全反射し、再び第１面１２に入射して全反射し、再び第２面１３で全反射し、再度第１面１３で全反射し、再び第２面１３で３度目の全反射をし、再度第１面１３で３度目の全反射し、第３面１４に入射して内部反射し、再度第１面１２に入射して今度は屈折されて射出瞳Ｅを通って略無限遠光束となる。
【００７１】
〔実施例７〕
実施例７は、実施例２の観察光学系の別な形態の例であり、図２１〜図２５に示すような構成のものである。これらの図中、１０はプリズム部材であり、１７は反射面、９は液晶表示装置等の画像表示装置、Ｅは射出瞳位置、Ｉは一次結像面である。本発明の観察光学系としてこれらのプリズム部材１０と反射面１７を用いることも可能である。以下、簡単に説明する。
【００７２】
図２１、図２４の場合は、プリズム部材１０は第１面１２、第２面１３、第３面１４、第４面１５からなり、画像表示素子９から射出された光束は、第１面１２で屈折してプリズム部材１０に入射し、第２面１３で内部反射し、第３面１４で内部反射し、第４面１５に入射して屈折されてプリズム部材１０に射出し、一次結像面Ｉに中間像を結像した後、反射面１７で反射されて、射出瞳Ｅを通って略無限遠光束となる。
【００７３】
図２２、図２３の場合は、プリズム部材１０は第１面１２、第２面１３、第３面１４からなり、画像表示素子９から射出された光束は、第１面１２で屈折してプリズム部材１０に入射し、第２面１３で内部反射し、再度第１面１２に入射して今度は全反射し、第３面１４に入射して屈折されてプリズム部材１０に射出し、一次結像面Ｉに中間像を結像した後、反射面１７で反射されて、射出瞳Ｅを通って略無限遠光束となる。
【００７４】
図２５の場合は、プリズム部材１０は第１面１２、第２面１３、第３面１４、第４面１５、第５面１６からなり、画像表示素子９から射出された光束は、第１面１２で屈折してプリズム部材１０に入射し、第２面１３で内部反射し、第３面１４で内部反射し、第４面１５で内部反射し、第５面１６に入射して屈折されてプリズム部材１０に射出し、一次結像面Ｉに中間像を結像した後、反射面１７で反射されて、射出瞳Ｅを通って略無限遠光束となる。
【００７５】
以上、本発明の携帯型画像表示装置を実施例に基づいて説明してきたが、本発明はこれら実施例に限定されることなく種々の変形が可能である。
【００７６】
なお、以上の本発明の携帯型画像表示装置は例えば次のように構成することができる。
【００７７】
〔１〕  データの通信手段を有する携帯型の装置において、音声を聞き取るためのスピーカー部と、音声を拾うためのマイク部とを有し、かつ、画像表示素子と、前記画像表示素子に表示された観察像を観察するために射出瞳を形成する全体として正の屈折力を有する観察光学系とを有し、前記観察光学系が少なくとも１つのプリズム部材にて構成され、前記プリズム部材は前記画像表示素子から射出された光束をプリズム内に入射する入射面と、前記光束をプリズム内で反射する少なくとも１つの反射面と、前記光束をプリズム外に射出する射出面とを有し、前記少なくとも１つの反射面が光束にパワーを与える曲面形状を有し、前記曲面形状が偏心によって発生する収差を補正する回転非対称な面形状にて構成されていることを特徴とする携帯型画像表示装置。
【００７８】
〔２〕  データの通信手段を有する携帯型の装置において、画像表示素子と、前記画像表示素子に表示された観察像を観察するために射出瞳を形成する全体として正の屈折力を有する観察光学系とを有し、前記観察光学系がプリズム部と反射面を有する反射部とから構成され、前記画像表示素子と前記プリズム部は本体に収納され、前記反射部は本体とは別の枠部材に保持され、前記枠部材は本体に収納可能な構成となっていることを特徴とする携帯型画像表示装置。
【００７９】
〔３〕  データの通信手段を有する携帯型の装置において、音声を聞き取るためのスピーカー部と、音声を拾うためのマイク部とを有し、かつ、画像表示素子と、前記画像表示素子に表示された観察像を観察するために射出瞳を形成する全体として正の屈折力を有する観察光学系と、撮像素子と、前記撮像素子に像を結像させるための撮像光学系とを有し、前記観察光学系が少なくとも１つのプリズム部材にて構成されていることを特徴とする携帯型画像表示装置。
【００８０】
〔４〕  データの通信手段を有する携帯型の装置において、画素ピッチがＰｍの第１の画像表示素子と、画素ピッチがＰｎの第２の画像表示素子と、前記第１の画像表示素子に表示された観察像を観察するために射出瞳を形成する全体として正の屈折力を有する観察光学系とを有し、以下の条件（１）を満足することを特徴とする携帯型画像表示装置。
（１）  ０．０１＜Ｐｍ／Ｐｎ＜０．８
【００８１】
〔５〕  データの通信手段を有する携帯型の装置において、データの記憶手段と、データーの受信終了を知らせる手段と、画像表示素子と、前記画像表示素子に表示された観察像を観察するために射出瞳を形成する全体として正の屈折力を有する観察光学系とを有することを特徴とする携帯型画像表示装置。
【００８２】
〔６〕  前記観察光学系が少なくとも１つのプリズム部材を有し、前記プリズム部材は画像表示素子から射出された光束をプリズム内に入射する入射面と、前記光束をプリズム内で反射する少なくとも１つの反射面と、前記光束をプリズム外に射出する射出面とを有し、前記少なくとも１つの反射面が光束にパワーを与える曲面形状を有し、前記曲面形状が偏心によって発生する収差を補正する回転非対称な面形状にて構成されていることを特徴とする上記２から５の何れか１項記載の携帯型画像表示装置。
【００８３】
〔７〕  前記観察光学系に用いるプリズム部材は、光束をプリズム内で反射する少なくとも２つの面を有することことを特徴とする上記５記載の携帯型画像表示装置。
【００８４】
〔８〕  光束をプリズム内で反射する少なくとも２つの面を有し、この２つの面は回転非対称な面形状にて構成されていることを特徴とする上記７記載の携帯型画像表示装置。
【００８５】
〔９〕  データの記憶手段を具備したことを特徴とした上記１から４の何れか１項記載の携帯型画像表示装置。
【００８６】
〔１０〕  前記記憶手段は装置本体に構成されていることを特徴とする上記９記載の携帯型画像表示装置。
【００８７】
〔１１〕  前記画像表示素子を照明するための光源と前記画像表示素子を照明するための照明光学系とが具備されていることを特徴とした上記１から５の何れか１項記載の携帯型画像表示装置。
【００８８】
〔１２〕  画像を観察する際に、本体を右手で保持しているか左手で保持しているかに基づいて、前記画像表示素子上の画像を回転させることを特徴とする上記１から５の何れか１項記載の携帯型画像表示装置。
【００８９】
〔１３〕  音声を拾うためのマイク部を有し、前記マイク部が携帯型の装置本体から突出する構成であることを特徴とする上記１から５の何れか１項記載の携帯型画像表示装置。
【００９０】
〔１４〕  音声を聞くためのスピーカー部を有し、前記スピーカ部が携帯型の装置本体から突出する構成であることを特徴とする上記１から５の何れか１項記載の携帯型画像表示装置。
【００９１】
〔１５〕  前記観察光学系を含む観察部が本体と機械的に接続され、前記観察光学系が本体に収納可能な構成であることを特徴とする上記１記載の携帯型画像表示装置
【００９２】
〔１６〕  前記観察光学系において、前記画像表示装置から射出した光束が最終的に射出する面が、収納時に外面に出ないように隠れる構造としたことを特徴とする上記１又は２記載の携帯型画像表示装置。
【００９３】
〔１７〕  前記反射部の反射面は光束にパワーを与える曲面形状を有し、前記曲面形状が偏心によって発生する収差を補正する回転非対称な面形状にて構成されていることを特徴とする上記２記載の携帯型画像表示装置。
【００９４】
〔１８〕  条件（２）を満足することを特徴とする上記４記載の携帯型画像表示装置。
（２）  ０．０１＜Ｓｍ／Ｓｎ＜０．５
ただし、Ｓｍは前記第１の画像表示素子の表示面積、Ｓｎは前記第２の画像表示素子の表示面積である。
【００９５】
【発明の効果】
以上の説明から明らかなように、本発明の携帯型画像表示装置によると、携帯電話や携帯情報端末に搭載できるように画像表示装置の観察部を小型に構成することができる。
【図面の簡単な説明】
【図１】
本発明の実施例１の携帯型画像表示装置の構成を示す斜視図である。
【図２】
実施例１の観察部の構成と作用を示すための側面図である。
【図３】
実施例１に用いている観察光学系の光路図である。
【図４】
実施例１の携帯型画像表示装置の使用形態を説明するための図である。
【図５】
実施例１の観察部の照明光学系の１例を説明するための図である。
【図６】
本発明の実施例２の携帯型画像表示装置の構成を示す斜視図である。
【図７】
実施例２の観察部の構成と作用を示すための側面図である。
【図８】
実施例２に用いている観察光学系の光路図である。
【図９】
本発明の実施例３の携帯型画像表示装置の構成を示す斜視図である。
【図１０】
実施例３の別な形態の携帯型画像表示装置の構成を示す斜視図である。
【図１１】
本発明の実施例４の携帯型画像表示装置の構成を示す斜視図である。
【図１２】
本発明の実施例５の携帯型画像表示装置の構成を示す斜視図である。
【図１３】
実施例１の観察光学系に利用可能な別な形態の光学系の光路図である。
【図１４】
実施例１の観察光学系に利用可能な別な形態の光学系の光路図である。
【図１５】
実施例１の観察光学系に利用可能な別な形態の光学系の光路図である。
【図１６】
実施例１の観察光学系に利用可能な別な形態の光学系の光路図である。
【図１７】
実施例１の観察光学系に利用可能な別な形態の光学系の光路図である。
【図１８】
実施例１の観察光学系に利用可能な別な形態の光学系の光路図である。
【図１９】
実施例１の観察光学系に利用可能な別な形態の光学系の光路図である。
【図２０】
実施例１の観察光学系に利用可能な別な形態の光学系の光路図である。
【図２１】
実施例２の観察光学系に利用可能な別な形態の光学系の光路図である。
【図２２】
実施例２の観察光学系に利用可能な別な形態の光学系の光路図である。
【図２３】
実施例２の観察光学系に利用可能な別な形態の光学系の光路図である。
【図２４】
実施例２の観察光学系に利用可能な別な形態の光学系の光路図である。
【図２５】
実施例２の観察光学系に利用可能な別な形態の光学系の光路図である。
【符号の説明】
１…携帯型画像表示装置本体
２…観察部
２ａ…観察部本体
２ｂ…観察部反射面
３…スピーカー部
４…マイク部
５…アンテナ部
６…直接観察のための液晶表示部
７…プッシュ式の操作部
８…スティック式の操作部
９…画像表示素子
１０…プリズム部材
１１…折り畳まれた観察部
１２…プリズム部材の第１面
１３…プリズム部材の第２面
１４…プリズム部材の第３面
１５…プリズム部材の第４面
１６…プリズム部材の第５面
１７…反射面
２０…本体下方部位
２１…シグナル点灯部
３０…くさび型プリズム
３１…光源
３２…くさび型プリズムの斜面
３３…ビーム成形素子
４１…撮像光学系
４２…スピーカ部
４３…マイク部
Ｅ…射出瞳位置
Ｉ…一次結像面